(57)【要約】【課題】  少ない光源数で照明の演出効果を向上することができる電子機器及び絵柄表示装置を提供する。【解決手段】  絵柄表示装置１は、複数の導光パネル２１〜２３と、各導光パネル２１〜２３毎に光を照射可能な照明装置３１〜３３とを備え、各導光パネル２１〜２３の裏側には、所定の絵柄を視認可能にするために、照明装置３１〜３３から照射された光を正面側に向けて反射する反射絵柄部１５がそれぞれ印刷されている。【選択図】      図２
2005091716.tif 000002
【特許請求の範囲】
【請求項１】
前面パネルを備えた電子機器において、
前記前面パネルは、積層された複数の導光パネルと、各導光パネルに設けられ、所定の絵柄を視認可能にするために前記導光パネルに入射した光を前記前面パネルの正面側に向けて反射する複数の反射絵柄部とを有し、
前記導光パネル毎に光を照射可能な光照射手段を設けたことを特徴とする電子機器。
【請求項２】
前記反射絵柄部は、前記導光パネルの裏面側に印刷された絵柄の画像であることを特徴とする請求項１に記載の電子機器。
【請求項３】
前記反射絵柄部は、白色の印刷画像であることを特徴とする請求項２に記載の電子機器。
【請求項４】
前記電子機器は、複数の動作モードを備え、
前記光照射手段は、選択された前記動作モードに応じて前記各導光パネルへの光照射／光照射停止を変更することを特徴とする請求項１乃至３のいずれかに記載の電子機器。
【請求項５】
前記複数の導光パネルには、互いに異なる動作モードに対応する前記反射絵柄部をそれぞれ設け、
前記光照射手段は、選択された前記動作モードに対応する前記導光パネルに光を選択的に照射することを特徴とする請求項４に記載の電子機器。
【請求項６】
前記光照射手段は、前記導光パネル毎に光照射状態を変更することを特徴とする請求項１乃至３のいずれかに記載の電子機器。
【請求項７】
前記光照射手段は、前記導光パネル毎の光照射状態として、光量、照射タイミング、照射間隔、光の色の少なくともいずれかを変更することを特徴とする請求項６に記載の電子機器。
【請求項８】
積層された複数の導光パネルと、
各導光パネルに設けられ、所定の絵柄を視認可能にするために前記導光パネルに入射した光を前記導光パネルの正面側に向けて反射する複数の反射絵柄部と、
前記複数の導光パネル毎に光を照射可能な光照射手段と
を備えることを特徴とする絵柄表示装置。
【発明の詳細な説明】
【技術分野】
【０００１】
本発明は、前面パネルを備える電子機器及び絵柄を表示する絵柄表示装置に関する。
【背景技術】
【０００２】
従来より、カーオーディオやカーナビゲーション等の電子機器においては、前面パネルを備え、この前面パネルの一部を透明樹脂にしたり、この前面パネルに設けた操作スイッチ等を透明樹脂製とし、この透明樹脂の裏側に発光ダイオード（ＬＥＤ）を配置して、前面パネルに設けられた文字や絵等の絵柄や操作スイッチを照明するようにしたものがある（例えば、特許文献１参照）。
【特許文献１】特開２０００−１３２９５５号公報
【発明の開示】
【発明が解決しようとする課題】
【０００３】
しかしながら、この種の電子機器において、特にカーオーディオ等の車載用電子機器では、夜間やトンネル内でも使用できるように最低限必要な情報（操作スイッチや絵柄）は照明しておく必要があるため、最低限必要な情報毎に光源（ＬＥＤなど）を配置するだけでも、多数の光源を必要とする。
【０００４】
このため、光源数の制約や光源の配置スペースの制約等から、デザイン上の観点から設けられたデザイン絵柄（ロゴ等）を照明したり、照明する絵柄を切り換える等の多彩な演出効果を採用することが実際上困難な問題があった。
【０００５】
本発明は、上述した事情に鑑みてなされたものであり、少ない光源数で照明の演出効果を向上することができる電子機器及び絵柄表示装置を提供することを目的としている。
【課題を解決するための手段】
【０００６】
上述課題を解決するため、本発明は、前面パネルを備えた電子機器において、前記前面パネルは、積層された複数の導光パネルと、各導光パネルに設けられ、所定の絵柄を視認可能にするために前記導光パネルに入射した光を前記前面パネルの正面側に向けて反射する複数の反射絵柄部とを有し、前記導光パネル毎に光を照射可能な光照射手段を設けたことを特徴とする。この構成によれば、前面パネルが、積層された複数の導光パネルと、各導光パネルに設けられ、所定の絵柄を視認可能にするために該導光パネルに入射した光を前面パネルの正面側に向けて反射する複数の反射絵柄部とを有し、導光パネル毎に光を照射可能な光照射手段を設けることにより、各導光パネルに光を照射すれば、各導光パネルに設けられた多数の反射絵柄部に光が導かれて多数の絵柄を視認可能にすることができ、また、各導光パネルに光を選択的に照射することで、視認可能となる絵柄を変更することが可能となる。
【０００７】
また、上記構成において、反射絵柄部を各導光パネルの裏面側に印刷された絵柄の画像とすることが好ましく、また、この反射絵柄部を白色の印刷画像とすれば、照明光を効率よく反射でき、絵柄の視認性を向上させることができる。
【０００８】
また、上記構成において、電子機器が複数の動作モードを備え、光照射手段が選択された動作モードに応じて各導光パネルへの照射／照射停止を変更することが好ましい。この場合、複数の導光パネルには、互いに異なる動作モードに対応する反射絵柄部をそれぞれ設け、光照射手段は、選択された動作モードに対応する導光パネルに光を選択的に照射することが好ましい。これによれば、選択された動作モードに対応する反射絵柄部が示す絵柄だけを視認可能にすることができる。
【０００９】
また、光照射手段は導光パネル毎に光照射状態を変更することが好ましく、この場合、導光パネル毎の光照射状態として、光量、照射タイミング、照射間隔、光の色の少なくともいずれかを変更することが好ましい。これによれば、導光パネル毎に光照射状態を変更するので、多彩な照明演出効果が可能となる。
【００１０】
また、本発明は、積層された複数の導光パネルと、各導光パネルに設けられ、所定の絵柄を視認可能にするために前記導光パネルに入射した光を前記導光パネルの正面側に向けて反射する複数の反射絵柄部と、前記複数の導光パネル毎に光を照射可能な光照射手段とを備える絵柄表示装置を提供する。
【００１１】
この構成によれば、積層された複数の導光パネルと、各導光パネルに設けられ、所定の絵柄を視認可能にするために導光パネルに入射した光を導光パネルの正面側に向けて反射する複数の反射絵柄部と、複数の導光パネル毎に光を照射可能な光照射手段とを備えることにより、各導光パネルに光を照射すれば、各導光パネルに設けられた多数の反射絵柄部に光が導かれて多数の絵柄を視認可能にすることができ、また、各導光パネルに光を選択的に照射することで、視認可能となる絵柄を変更することが可能となる。
【発明の効果】
【００１２】
本発明は、積層された複数の導光パネルと、各導光パネルに設けられ、所定の絵柄を視認可能にするために導光パネルに入射した光を導光パネルの正面側に向けて反射する複数の反射絵柄部と、複数の導光パネル毎に光を照射可能な光照射手段とを備えるので、一つの導光パネルに光を照射すれば、その導光パネルに設けられた多数の反射絵柄部に光が導かれて多数の絵柄を視認可能にすることができ、また、導光パネルに光を選択的に照射することで視認可能となる絵柄を切り換えることができる。従って、少ない光源数で照明の演出効果を向上することができる。
【発明を実施するための最良の形態】
【００１３】
以下、図面を参照して本発明の実施形態を詳述する。
【００１４】
（１）  第１実施形態
図１は、本発明の絵柄表示装置の一実施形態に係る装置を示す図であり、図２は、この絵柄表示装置１の分解斜視図である。
【００１５】
この絵柄表示装置１は、広告等のディスプレイ用途の装置であり、カーオーディオ又はカーナビゲーション等の車載用電子機器等の電子機器に内蔵されたり、いわゆるディスプレイ装置として単体で使用される装置である。
【００１６】
この絵柄表示装置１は、複数の導光パネル２１、２２、２３と、各導光パネル２１〜２３に光を照射する複数の照明装置（光照射手段）３１、３２、３３とを備えている。なお、本実施形態では、３枚の導光パネルを備える場合を説明するが、導光パネルは複数あればよく適宜設計変更が可能である。
【００１７】
各照明装置３１〜３３は、各導光パネル２１〜２３毎に光を照射可能にするものであり、各導光パネル２１〜２３の一側面１０側に配置され、この一側面に沿って複数配列された発光ダイオード（ＬＥＤ）又は蛍光管等からなる光源４（後述する図３、図４参照）と、光源４の駆動回路（不図示）と、これらを収容するケース５（図３参照）とを備えている。これら照明装置３１〜３３は、図示しない照明制御装置の制御により発光が制御される。なお、この照明制御装置は、この絵柄表示装置１に内蔵してもよいし、外部に設けられた装置でもよい。また、図示は省略しているが、この絵柄表示装置１は、これら照明装置３１〜３３に電力を供給するための電源装置等を内蔵している。以下、各照明装置３１〜３３及び導光パネル２１〜２３は同様の構成を有するため、照明装置３１及び導光パネル２１について説明する。
【００１８】
図３は、照明装置３１が取り付けられた一枚の導光パネル２１を上側面側から見た時の模式図である。
【００１９】
導光パネル２１は、照明装置３１から照射された光Ｌを、後述する反射絵柄部１５に導くパネルである。具体的には、導光パネル２１は、アクリル、ポリカーボネート又はＡＢＳ等の透明樹脂、或いはガラス等の透明材料で形成され、これら材料と空気との屈折率の差により、図３に示すように、照明装置３１から照射されて入射した光Ｌを表面２Ａ及び裏面２Ｂでほぼ全反射させて当該パネル２１内を伝搬させる。
【００２０】
この導光パネル２の裏面２Ｂには、照明装置３１から照射されて当該パネル２内を伝搬する光Ｌをパネル２１の表面２Ａ側に向けて反射する反射絵柄部１５が設けられている。詳述すると、これら反射絵柄部１５は、白色インク等の反射率が比較的高い材料を含有する印刷画像であり、図３に示すように、光の散乱を生じさせることにより、照明装置３１から照射された光Ｌを表面２Ａ側、つまり、絵柄表示装置１の前面側に向けて反射する。
【００２１】
絵柄表示装置１において、これら導光パネル２１〜２３は、同形状に形成され、所定の間隔を空けて積層配置される構成を採る。また、各導光パネル２１〜２３に印刷される反射絵柄部１５は、文字、図形若しくは記号又はこれらの一部からなる絵柄が適用される。本実施形態では、導光パネル２１には、「Ａ」、「Ｔ」の文字、導光パネル２２には、「Ｄ」、「Ｓ」の文字、導光パネル２３には、「Ｄ」、「Ｅ」の文字を示す反射絵柄部１５が設けられ、図１に示すように、これら導光パネル２１〜２３を積層配置したときに、「ＡＤＤＥＳＴ」を示す広告用絵柄が完成するようになっている。
【００２２】
図４は、絵柄表示装置１を上側面側から見た時の模式図である。
【００２３】
図４に示すように、各照明装置３１〜３３から照射された光Ｌは、それぞれ導光パネル２１〜２３に入射して、反射絵柄部１５により絵柄表示装置１の正面側に向けて反射される。これにより、各反射絵柄部１５の照明光が反射絵柄部１５で反射されて正面側に照射されるので、暗所でも広告用絵柄を視認可能とすることができる。ところで、照明装置３１〜３３の光源４に蛍光灯を用いた場合、蛍光灯は一般に白色光を照射する。このため、反射絵柄１５を白色の印刷画像にしておけば、光源４からの照明光を効率よく反射することができ、絵柄の視認性を向上させることができる。
【００２４】
また、照明装置３１〜３３からの光が各導光パネル２１〜２３全体を伝搬するので、一つの光源からの光を各導光パネル２１〜２３に設けられた多数の反射絵柄部１５に導くことができ、多数の絵柄を視認可能にすることが可能となる。
【００２５】
また、このように、この絵柄表示装置１は、照明装置３１〜３３により導光パネル２１〜２３毎に照明光を照射可能にしたことにより、照明光を照射したいずれかの導光パネル２１〜２３の反射絵柄部１５だけに光を反射させることができる。このため、例えば、光照射状態を、照明光を照射する導光パネル２１〜２３を順次変更するように照明制御することにより、広告用絵柄の一部の絵柄だけを照明したり、照明される絵柄を順次変更する、といった多彩な照明効果を演出することができる。また、照明装置３１〜３３の照明光を異なる色にすることによって、広告用絵柄の各絵柄を異なる色で照明する、といった照明効果を演出することもできる。
【００２６】
以上説明したように、本実施形態の絵柄表示装置１は、複数の導光パネル２１〜２３と、各導光パネル２１〜２３毎に光を照射するための照明装置３１〜３３とを備え、各導光パネル２１〜２３に反射絵柄部１５をそれぞれ設けることにより、従来のこの種の絵柄表示装置に比して、少ない光源数で、多数の絵柄照明や、照明する絵柄の切り換えや、多色で絵柄を照明する、といった様々な演出効果を実現でき、照明の演出効果を向上することができる。
【００２７】
また、この絵柄表示装置１は、導光パネル２１〜２３が略透明色であるため、配背面側にＬＣＤやＣＲＴ等の表示装置を配置しても、背面側の表示装置を視認することができる。このため、この絵柄表示装置１を他の表示装置と組み合わせれば、様々な表示の演出効果を実現することができる。
【００２８】
（２）  第２実施形態
図５は、本発明の電子機器の一実施形態である車載用音響装置を示す図である。
【００２９】
この車載音響装置５０は、ラジオ受信機能、ＣＤ再生機能及びカセットテープ再生機能を実現するための各種電気部品を内蔵した機器本体６０と、この機器本体６０の前面側に設けられた前面ユニット７０とから概略構成されている。なお、図１においては、説明の便宜上、ＣＤやカセットテープの挿入口や一部の操作キーを省略して示している。
【００３０】
図５に示すように、機器本体６０の前面には、ラジオ受信時、ＣＤ再生時及びカセットテープ再生時に兼用して使用される複数の操作キー６１からなる操作部６２が設けられ、この操作部６２の略近傍に前面ユニット７０が固定されている。
【００３１】
前面ユニット７０は、操作部６２の各操作キー６１の情報を表示する表示パネルとして機能するものであり、第１実施形態に係る絵柄表示装置１と略同一の構成を持っている。図６は、前面ユニット７０の斜視図である。
【００３２】
具体的には、図６に示すように、この前面ユニット７０は、複数の導光パネル７２１〜７２３と、各導光パネル７２１〜７２３に光を照射する複数の照明装置（光照射手段）７３１〜７３３とを備えている。これら導光パネル７２１〜７２３は、反射絵柄部が異なる点を除いて第１実施形態の導光パネル２１〜２３と略同一であり、また、照明装置７３１〜７３３は第１実施形態の照明装置３１〜３３と略同一である。このため、以下、重複する説明は省略し、異なる点について説明する。
【００３３】
図７（Ａ）は前面ユニット７０の導光パネル７２１と、このパネルに固定された照明装置７３１を示す図である。また、図７（Ｂ）は導光パネル７２２と、このパネルに固定された照明装置７３２を示す図である。さらに、図７（Ｃ）は導光パネル７２３と、このパネルに固定された照明装置７３３を示す図である。
【００３４】
この車載音響装置５０は、動作モードとして、ラジオ受信を行う動作モード（以下、ラジオモードという。）と、ＣＤ再生を行う動作モード（以下、ＣＤモードという。）、カセットテープ再生を行う動作モード（以下、カセットモードという。）とを備えており、各導光パネル７２１〜７２３には、互いに異なる動作モードに対応する絵柄を示す反射絵柄部７５１〜７５３がそれぞれ設けられている。
【００３５】
詳述すると、図７（Ａ）に示すように、前面ユニット７０の最前側に配置される導光パネル７２１には、ラジオモードの場合の各操作キー６１の機能を示す反射絵柄部７５１が印刷される。本実施形態では、ラジオモードの場合、機器本体６０内の制御手段（不図示）によって、各操作キー６１が所定の番号（いわゆるプリセットチャンネル番号）と対応づけて登録されたラジオ放送チャンネルを呼び出す操作キーとして機能し、反射絵柄部７５１として、このプリセットチャンネル番号の数字を適用した場合を示している。
【００３６】
また、図７（Ｂ）に示すように、前面ユニット７０の導光パネル７２１の裏側に配置される導光パネル７２２には、ＣＤモードの場合の各操作キー６１の機能を示す反射絵柄部７５２が印刷される。本実施形態では、ＣＤモードの場合、各操作キー６１がスキャン（「ＳＣＮ」）、リピート再生（「ＲＰＴ」）、ランダム再生（「ＲＤＭ」）、を指示する操作キーとして機能し、反射絵柄部７５２として、「ＳＣＮ」、「ＲＰＴ」、「ＲＤＭ」の文字を適用した場合を示している。
【００３７】
また、図７（Ｃ）に示すように、前面ユニット７０の最後側に配置される導光パネル７２３には、カセットモードの場合の各操作キー６１の機能を示す反射絵柄部７５３が印刷される。本実施形態では、カセットモードの場合、各操作キー６１が、巻き戻し、再生／ポーズ、早送り、を指示する操作キーとして機能し、反射絵柄部７５３として、巻き戻し、再生／ポーズ、早送り、のそれぞれに対応する図形を適用した場合を示している。また、これら反射絵柄部７５１〜７５３は、図６に示すように、これら導光パネル７２１〜７２３を積層したとき、異なる位置に配置されるように各導光パネル７２１〜７２３の裏側に印刷されている。
【００３８】
この車載音響装置５０においては、機器本体６０内の発光制御装置（不図示）が、動作モードに応じて、照明装置７３１〜７３３の光照射状態を変更する制御を行う。詳述すると、この発光制御装置は、図示しない操作キーの操作等によってラジオモードに移行すると、ラジオモードに対応した反射絵柄部７５１が印刷された導光パネル７２１に照明光を照射すべく、照明装置７３１を駆動する。このラジオモードへの移行前、ＣＤモード又はカセットモードにおいて他の照明装置７３２又は７３３を駆動していれば、その駆動は停止する。これにより、導光パネル７２１の反射絵柄部７５１により照明光が正面側に向けて反射され、外部から反射絵柄部７５１だけが視認可能となる。
【００３９】
同様に、発光制御装置は、図示しない操作キーの操作若しくはＣＤが装填される等してＣＤモードに移行すると、照明装置７３２だけを駆動し、ＣＤモードに対応した反射絵柄部７５２が印刷された導光パネル７２２に照明光を照射して、反射絵柄部７５２だけを外部から視認可能とする。また、図示しない操作キーの操作若しくはカセットテープが装填される等してカセットモードに移行すると、照明装置７３３だけを駆動し、カセットモードに対応した反射絵柄部７５３が印刷された導光パネル７２３に照明光を照射し、反射絵柄部７５３だけを外部から視認可能とする。
【００４０】
このように、この車載音響装置５０は、選択された動作モードに応じて各導光パネル７２１〜７２３への光照射／光照射停止を変更することにより、選択された動作モードに応じて前面ユニット７０に表示する絵柄を該動作モードに対応した絵柄に切り換えることができる。
【００４１】
以上説明したように、本実施形態の車載音響装置５０は、動作モードの数に対応する枚数の導光パネル７２１〜７２３と、各導光パネル７２１〜７２３毎に光を照射する照明装置７３１〜７３３とを備え、各導光パネル７２１に各動作モードに対応した絵柄を示す反射絵柄部７５１〜７５３をそれぞれ設けることにより、従来のこの種の車載音響装置に比して、少ない光源数で、選択された動作モードに応じて照明する多数の絵柄を変更することができる。
【００４２】
また、従来、このような動作モードに応じて表示絵柄を変更する構成として、例えば液晶表示パネルを用いており、この構成を採用したものに比して、本実施形態の車載音響装置５０は、格段に簡易な構成となり、また、高価な部品も必要としないから大幅なコスト低減を図ることができる。
【００４３】
なお、上述した各実施形態は、本発明の一態様を示すものであり、この発明を限定するものではなく、本発明の範囲内で任意に変更可能である。例えば、上述した各実施形態では、反射絵柄部１５、７５１〜７５３として、反射率が高い材料の印刷画像を適用する場合について述べたが、導光パネルの裏面側に凹又は凸の凹凸部を適用し、この凹凸部が、導光パネルに入射した光を導光パネルの表面側に反射して所定の絵柄を示す照明光を正面側に向けて照射するようにしてもよい。
【００４４】
また、上述した各実施形態において、各導光パネル２１〜２３毎、７２１〜７２３毎に光照射状態を変更してもよい。具体的には、各導光パネル毎に光量を変更して明暗を付加したり、各導光パネル毎に照射タイミングや照射間隔や光の色等を変化等することで、照明される絵柄を順次切り換える等といった多彩な照明演出効果を付加することができる。
【００４５】
また、上述の第２実施形態では、ラジオ受信機能、ＣＤ再生機能等を具備する車載音響装置に本発明を適用する場合について述べたが、それ以外の機能を具備する車載音響装置やカーナビゲーション装置に本発明を適用してもよく、また、車載以外の電子機器に適用してもよい。
【図面の簡単な説明】
【００４６】
【図１】本発明の絵柄表示装置の一実施形態に係る装置を示す図である。
【図２】絵柄表示装置の分解斜視図である。
【図３】照明装置が取り付けられた一枚の導光パネルを上側面側から見た時の模式図である。
【図４】絵柄表示装置を上側面側から見た時の模式図である。
【図５】本発明の電子機器の一実施形態である車載用音響装置を示す図である。
【図６】車載用音響装置の前面ユニットの正面図である。
【図７】前面ユニットの各導光パネルとこのパネルに固定された各照明装置を示す図である。
【符号の説明】
【００４７】
１  絵柄表示装置、
４  光源、
１５、７５１〜７５３  反射絵柄部、
２１〜２３、７２１〜７２３  導光パネル、
３１〜３３、７３１〜７３３  照明装置、
５０  車載音響装置、
６０  機器本体、
６１  操作キー、
６２  操作部、
７０  前面ユニット、
Ｌ  光
【図１】
2005091716.tif 000003
【図２】
2005091716.tif 000004
【図３】
2005091716.tif 000005
【図４】
2005091716.tif 000006
【図５】
2005091716.tif 000007
【図６】
2005091716.tif 000008
【図７】
2005091716.tif 000009